(57)【要約】      （修正有）【課題】レセプタクルとの接続性を向上させる同軸ケーブル用コネクタを提供する。【解決手段】中心導体１の外側に同心状に絶縁体２、編組線３、シース４が順に外装された同軸ケーブルＣの先端から絶縁体２と編組線３の間に挿し込まれるインナースリーブ１４と、シース４の外側に外装されるアウタースリーブ１５とを備えたコネクタ本体１１に、締付ナット１３が回動可能に外装される。締付ナット１３の後端側に形成された内向きフランジ２０と、コネクタ本体１１の先端側に形成された外向きフランジ１９の間に、そのギャップを広げる方向に付勢するスプリングワッシャＷを介装した。【選択図】図１
0003158734.tif 000002
【実用新案登録請求の範囲】
【請求項１】
中心導体の外側に同心状に絶縁体、編組線、シースが順に外装された同軸ケーブルの先端から前記絶縁体と編組線の間に挿し込まれるインナースリーブと、シースの外側に外装されるアウタースリーブとを備えたコネクタ本体に、同軸ケーブル用レセプタクルと螺合される締付ナットが回動可能に外装された同軸ケーブル用コネクタにおいて、
前記締付ナットの後端側に形成された内向きフランジと、前記コネクタ本体の先端側に形成された外向きフランジにより、締付ナットがコネクタ本体に対して抜脱不能に設けられると共に、前記各フランジ間にはそのギャップを広げる方向に付勢するスプリングワッシャが介装されたことを特徴とする同軸ケーブル用コネクタ。
【請求項２】
前記コネクタ本体が、前記アウタースリーブに対して軸方向にスライド可能に外装された圧縮スリーブを備え、
当該圧縮スリーブの内周面には、当該スリーブを先端側にスライドさせることによりアウタースリーブを縮径させてコネクタ本体を同軸ケーブルに固定するテーパー面が形成されて成る請求項１記載の同軸ケーブル用コネクタ。
【請求項３】
前記外向きフランジがアウタースリーブの先端側に固定されたエクステンションパイプの先端に形成されてなる請求項１又は２記載の同軸ケーブル用コネクタ。
【請求項４】
前記外向きフランジがインナースリーブの先端面に形成されてなる請求項１又は２記載の同軸ケーブル用コネクタ。
【請求項５】
前記アウタースリーブ及びインナースリーブが金属パーツで成る請求項１〜４いずれか記載の同軸ケーブル用コネクタ。
【考案の詳細な説明】
【技術分野】
【０００１】
本考案は、同軸ケーブルを通信放送機械など各種の高周波機器に設けられたレセプタクルに挿し込んで接続するために、その先端に取り付けて使用する同軸ケーブル用コネクタに関する。
【背景技術】
【０００２】
テレビ放送やデータ通信などに用いられる高周波信号を伝達するために用いられる同軸ケーブルを高周波機器に接続するために、同軸ケーブル先端に取り付けられたＦ型コネクタなどの同軸ケーブル用コネクタが用いられ、これを、高周波機器側に形成されたレセプタクルに挿し込んで使用している。
【０００３】
このような同軸ケーブル用コネクタの信頼性の重要なファクターとして、
（１）同軸ケーブルとの接続性
（２）レセプタクルとの接続性
が挙げられる。
【０００４】
例えば、図Ｊ１に示す同軸ケーブル用コネクタ５１は、同軸ケーブルＣの先端に固定されるコネクタ本体５２に、同軸ケーブル用レセプタクル（図示せず）と螺合される締付ナット５３が回動可能に装着されている。
コネクタ本体５２は、インナースリーブ５４とアウタースリーブ５５とを備えている。
同軸ケーブルＣは、中心導体１の外側に同心状に絶縁体２、編組線３、シース４が順に外装されており、コネクタ５１の取付加工をする際は、先端部のシース４を所定長さ切除し、編組線３を外側に折り返し、絶縁体２を切除して中心導体１を露出させる端末処理を行う。
この状態で、コネクタ５１のインナースリーブ５４とアウタースリーブ５５の間にシース４を差し込むように、絶縁体２と編組線３との間にインナースリーブ５４を差し込んだ後、特殊工具を用いてアウタースリーブ５５を六角筒状にカシメることにより、同軸ケーブルＣの先端にコネクタ５１が取り付けられる。
【０００５】
しかしながら、この種のコネクタ５１は、取付時に特殊工具を必要とする割には、同軸ケーブルＣから外れやすいという問題があった。
すなわち、アウタースリーブ５４は、作業を簡単に行うために比較的変形しやすい薄い金属板で形成されており、そのため同軸ケーブルＣに装着した後にコネクタ５１に外力が作用してアウタースリーブ５４が再度変形した場合は、コネクタ５１が同軸ケーブルＣから外れてしまう。
【０００６】
そこで、図Ｊ２に示す同軸ケーブル用コネクタ５６のように、アウタースリーブ５７にスライドスリーブ５８を外装させると共に、スライドスリーブ５８を締付ナット５３側にスライドさせたときにスリーブ内側に突出するパッキンリング５９が設けられたものが提案され、これによれば、特殊工具を用いることなくケーブルＣへの装着を簡単・確実に行えるようになっている（特許文献１参照）。
【０００７】
しかしながら、パッキンリング５９は一般に樹脂製であるため、常に力がかかった状態で長期間使用することにより、劣化しやすく、あるいはクリープ現象を起こして把持力を喪失し、数年も経たずに同軸ケーブルＣから簡単に外れてしまう。
【０００８】
また、コネクタ５１及び５６をレセプタクルに接続する場合は、いずれも締付ナット５３をレセプタクル（図示せず）に形成された雄ネジに螺合させることとしている。
しかしながら、ここで、確実に接続しようとして締付ナット５３を締め付けていくと、コネクタ本体５２の先端面とレセプタクルの先端面が当たってしまうため、それ以上は締め付けることができず、無理して締め付ければねじ山をつぶしてしまうおそれがある。
この状態で放置すれば、機器の振動などにより締付ナット５３が緩みやすく、特にインナースリーブは、レセプタクルのアース接点と、同軸ケーブルＣの絶縁体２の外周面に設けられたアルミ箔テープ（図示せず）及び編組線３とを接続する役割をしていることから、締付ナット５３が緩むとアース接点が断続し、接続が不安定になるという問題もある。
【先行技術文献】
【特許文献】
【０００９】
【特許文献１】実用新案登録第３１０１６５６号号公報
【考案の概要】
【考案が解決しようとする課題】
【００１０】
そこで本考案は、機器の振動等が作用しても締付ナットが緩まないように同軸ケーブル用コネクタをレセプタクルにしっかりと接続された状態を維持することにより、同軸ケーブル用コネクタの信頼性のファクターの一つであるレセプタクルとの接続性を向上させることを技術的課題としている。
【課題を解決するための手段】
【００１１】
この課題を解決するために、請求項１の考案は、中心導体の外側に同心状に絶縁体、編組線、シースが順に外装された同軸ケーブルの先端から前記絶縁体と編組線の間に挿し込まれるインナースリーブと、シースの外側に外装されるアウタースリーブとを備えたコネクタ本体に、同軸ケーブル用レセプタクルと螺合される締付ナットが回動可能に外装された同軸ケーブル用コネクタにおいて、前記締付ナットの後端側に形成された内向きフランジと、前記コネクタ本体の先端側に形成された外向きフランジにより、締付ナットがコネクタ本体に対して抜脱不能に設けられると共に、前記各フランジ間にはそのギャップを広げる方向に付勢するスプリングワッシャが介装されたことを特徴としている。
請求項２の同軸ケーブル用コネクタは、前記コネクタ本体が、前記アウタースリーブに対して軸方向にスライド可能に外装された圧縮スリーブを備え、当該圧縮スリーブの内周面には、当該スリーブを先端側にスライドさせることによりアウタースリーブを縮径させてコネクタ本体を同軸ケーブルに固定するテーパー面が形成されている。
請求項３の同軸ケーブル用コネクタは、外向きフランジがインナースリーブの先端面に形成されている。
請求項４の同軸ケーブル用コネクタは、外向きフランジがアウタースリーブの先端側に固定されたエクステンションパイプの先端に形成されている。
【考案の効果】
【００１２】
請求項１の同軸ケーブル用コネクタによれば、締付ナットの後端側に形成された内向きフランジと、前記コネクタ本体の先端側に形成された外向きフランジの間に、そのギャップを広げる方向に付勢するスプリングワッシャが介装されているので、締付ナットを締め付けていくことにより、レセプタクルの先端と、コネクタ本体の先端が当接しても、さらに、スプリングワッシャの変形が許容されるストローク分、その弾發力に抗して締め付けることができる。
これにより、スプリングワッシャは変形し、締付ナットに形成された雌ネジと、レセプタクルに形成された雄ネジが、ワッシャの弾發力により密着されるので、ネジにガタを生じることがなく摩擦抵抗も高くなる。
したがって、機器の振動等が作用しても締付ナットが緩まないように同軸ケーブル用コネクタがレセプタクルにしっかりと接続された状態に維持することができ、同軸ケーブル用コネクタの信頼性のファクターの一つであるレセプタクルとの接続性を向上させることができる。
【００１３】
また、請求項２の同軸ケーブル用コネクタによれば、圧縮スリーブをスライドさせることにより、その内周面に形成されたテーパー面でアウタースリーブを縮径させているので、アウタースリーブは同軸ケーブルのシースとテーパー面に挟まれて同軸ケーブルを確実にチャッキングする。
この場合、長期間使用しても、アウタースリーブがテーパー面に押されて同軸ケーブルをチャッキングする状態は変化しないので、同軸ケーブルとの接続性をも向上させることができる。
【図面の簡単な説明】
【００１４】
【図１】本考案に係る同軸ケーブル用コネクタの一例を示す断面図。
【図２】同軸ケーブルとの接続手順を示す説明図。
【図３】レセプタクルとの接続手順を示す説明図。
【図４】他の実施例に係る同軸ケーブル用コネクタの一例を示す断面図。
【図５】同軸ケーブルとの接続手順を示す説明図。
【図６】レセプタクルとの接続手順を示す説明図。
【図７】従来の同軸ケーブル用コネクタを示す断面図。
【図８】従来の他の同軸ケーブル用コネクタを示す断面図。
【考案を実施するための形態】
【００１５】
本例では、機器の振動等が作用しても締付ナットが緩まないように同軸ケーブル用コネクタをレセプタクルにしっかりと接続された状態を維持することにより、同軸ケーブル用コネクタの信頼性のファクターの一つであるレセプタクルとの接続性を向上させるという目的を達成するために、中心導体の外側に同心状に絶縁体、編組線、シースが順に外装された同軸ケーブルの先端から前記絶縁体と編組線の間に挿し込まれるインナースリーブと、シースの外側に外装されるアウタースリーブとを備えたコネクタ本体に、同軸ケーブル用レセプタクルと螺合される締付ナットが回動可能に外装された同軸ケーブル用コネクタにおいて、前記締付ナットの後端側に形成された内向きフランジと、前記コネクタ本体の先端側に形成された外向きフランジにより、締付ナットがコネクタ本体に対して抜脱不能に設けられると共に、前記各フランジ間に、そのギャップを広げる方向に付勢するスプリングワッシャを介装した。
【実施例１】
【００１６】
図１に示す同軸ケーブル用コネクタ１０は、中心導体１の外側に同心状に絶縁体２、編組線３、シース４が順に外装された同軸ケーブルＣの先端に取り付けられて使用されるもので、同軸ケーブルＣに固定されるコネクタ本体１１の先端側に、レセプタクル１２（図３参照）に螺合される締付ナット１３が回動可能に外装されている。
【００１７】
コネクタ本体１１は、絶縁体２と編組線３の間に挿し込まれるインナースリーブ１４と、シース４の外側に外装されるアウタースリーブ１５とを備えると共に、アウタースリーブ１５に対して軸方向にスライド可能に外装された圧縮スリーブ１６を備えている。
そして、圧縮スリーブ１６は、円筒ケーシング１６Ａ内に円筒操作子１６Ｂが、嵌合されて一体に形成されており、円筒操作子１６Ｂの内周面には、当該スリーブ１６を先端側（締付ナット１３側）にスライドさせることによりアウタースリーブ１５を縮径させてコネクタ本体１１を同軸ケーブルＣに固定するテーパー面１７が形成されている。
【００１８】
アウタースリーブ１５の先端側（締付ナット１３側）にはエクステンションパイプ１８が設けられ、さらにその先端には外向きフランジ１９が形成されており、当該外向きフランジ１９の外径は、締付ナット１３の後端側に形成された内向きフランジ２０の内径より大きく設計されて、締付ナット１３がコネクタ本体１１に対して抜脱不能に設けられている。
そして、前記各フランジ１９、２０間にはそのギャップを広げる方向に付勢するスプリングワッシャＷが介装されている。
【００１９】
なお、インナースリーブ１４内には、同軸ケーブルＣの中心導体１に外装されるコンタクトピン２１を中心に摺動可能に配したサポータ２２がインナースリーブ１４の軸方向にスライド可能に配されている。
このサポータ２２は外周面にストッパとなるフランジ２３が形成され、同軸ケーブルＣの先端に差し込む際に、同軸ケーブルＣに押されてインナースリーブ１４及びエクステンションパイプ１８内をスライドし、エクステンションパイプ１８内に形成された段差（図示せず）に前記フランジ２３が引っ掛かって停止されるようになっている。
【００２０】
また、コネクタ本体１１は、インナースリーブ１４及びアウタースリーブ１５と、アウタースリーブ１５及びエクステンションパイプ１８が、それぞれ嵌合又はスポット溶接され、これら三つのパーツが一体に形成されている。
【００２１】
以上が本考案の一構成例であって、次にその作用について説明する。
同軸ケーブルＣの先端に取り付ける場合は、まず、同軸ケーブルＣのシース４を線端側から所定長さ切除し、編組線３を外側に折り返し、絶縁体２を切除して中心導体１を露出させる端末加工を行う。
次いで、同軸ケーブル用コネクタ１０を同軸ケーブルＣの先端から挿し込んでいく。
このとき、中心導体１がコンタクトピン２１内に挿入され、そのコンタクトピン２１がサポータ２２を押し込んでいく（図１参照）。
この間、インナースリーブ１４が同軸ケーブルＣの絶縁体２と編組線３の間に挿入され、アウタースリーブ１５がシース４に外装されていき、最終的に、サポータ２２のフランジ２３がエクステンションパイプ１８内で引っ掛かって止まる位置まで挿入される（図２（ａ）参照）。
【００２２】
この状態で、圧縮スリーブ１６を先端側、すなわち、締付ナット１３に近づける方向にスライドさせると、その内周に形成されたテーパー面１７によりアウタースリーブ１５が内側に圧されて縮径され、そのアウタースリーブ１５が同軸ケーブルＣを掴持することになるので、同軸ケーブルＣが確実にチャッキングされる（図２（ｂ）参照）。
【００２３】
このとき、アウタースリーブ１５はテーパー面１７により同軸ケーブルＣに強固に押し当てられるので、アウタースリーブ１５と同軸ケーブルＣとの間には大きな摩擦力が作用する。
また、同軸ケーブルＣにアウタースリーブ１５を強固に圧し当てることにより、その反力がアウタースリーブ１５を介してテーパー面１７に作用するので、アウタースリーブ１５とテーパー面１７との間にも大きな摩擦力が作用する。
しかも、アウタースリーブ１５は圧縮スリーブ１６に囲まれているので外力が作用しても再変形することがなく、圧縮スリーブ１６のテーパー面１７により同軸ケーブルＣに圧し当てられた状態は、長期間使用しても変化することがない。
したがって、圧縮スリーブ１６をスライドさせることにより同軸ケーブルＣにコネクタ１０を取り付ければ、これらの摩擦力により、コネクタ本体１１が同軸ケーブルＣに確実に取り付けられ、外れることがない。
【００２４】
このように同軸ケーブルＣの先端に取り付けられたコネクタ１０をレセプタクル１２に接続する場合、締付ナット１３の雌ネジ１３ａをレセプタクル１２の雄ネジ１２ａに螺合させて締め付けていくと、コネクタ本体１１の先端面（エクステンションパイプ１８の先端面）がレセプタクル１２の先端面が当接される（図３（ａ）参照）。
このとき、エクステンションパイプ１８の先端側に形成された外向きフランジ１９と、締付ナット１３の後端側に形成された内向きフランジ２０は、スプリングワッシャＷにより、各フランジ１９、２０間を拡げる方向に付勢されて、所定のギャップが確保されている。
【００２５】
そして、さらに締付ナット１３を締め付けていくと、スプリングワッシャＷの弾發力に抗して、各フランジ１９、２０間のギャップが小さくなっていき、最終的には、スプリングワッシャＷがフランジ１９、２０に挟まれて平らな状態になるまで変形される（図３（ｂ）参照）。
このとき、各フランジ１９、２０は、ワッシャＷによりギャップを拡げる方向に付勢されているので、締付ナット１３がレセプタクル１２から離れる方向に付勢され、締付ナット１３に形成された雌ネジ１３ａと、レセプタクル１２に形成された雄ネジ１２ａが、ワッシャＷの弾發力により密着されるので、ネジ間にガタを生じることがなく摩擦抵抗も高くなる。
したがって、機器の振動等が作用しても締付ナット１３が緩むことなく、同軸ケーブル用コネクタ１０がレセプタクル１２にしっかりと接続された状態に維持され、アース接点が断続されることがなくなるので、レセプタクル１２との接続性を向上させることができる。
【実施例２】
【００２６】
図４は本考案に係る他の実施形態を示す説明図である。なお、図１〜３と共通する部分は同一符号を付して詳細説明を省略する。
本例の同軸ケーブル用コネクタ３０は、コンタクトピンを用いずに、同軸ケーブルＣの中心導体１を直接レセプタクル１２に挿通する簡易タイプであり、同軸ケーブルＣに固定されるコネクタ本体３１の先端側に、レセプタクル１２（図３参照）に螺合される締付ナット１３が回動可能に外装されている。
【００２７】
コネクタ本体３１は、同軸ケーブルＣの絶縁体２と編組線３の間に挿し込まれるインナースリーブ３２と、シース４の外側に外装されるアウタースリーブ３３とを備えると共に、アウタースリーブ３３に対して軸方向にスライド可能に外装された圧縮スリーブ３４を備えている。
【００２８】
また、アウタースリーブ３３の先端側（締付ナット１３側）には外向きフランジ３５が形成されており、当該外向きフランジ３４の外径は、締付ナット１３の後端側に形成された内向きフランジ２０の内径より大きく設計されている。
そして、前記各フランジ３５、２０間にはそのギャップを広げる方向に付勢するスプリングワッシャＷが介装されている。
なお、コネクタ本体３１は、インナースリーブ３２及びアウタースリーブ３３の二つのパーツが、それぞれ嵌合又はスポット溶接されて一体に形成されている。
【００２９】
本例によれば、同軸ケーブルＣのシース４を線端側から所定長さ切除し、編組線３を外側に折り返し、絶縁体２を切除して中心導体１を露出させる端末加工を行った後、同軸ケーブル用コネクタ３０を同軸ケーブルＣの先端から挿し込んでいく（図４参照）。
そして、絶縁体２の先端面がインナースリーブ３２の先端面と面一になる位置まで挿しんだ後（図５（ａ）参照）、圧縮スリーブ３４を先端側、すなわち、締付ナット１３に近づける方向にスライドさせると、その内周に形成されたテーパー面３６によりアウタースリーブ３３が内側に圧されて縮径され、そのアウタースリーブ３３が同軸ケーブルＣを掴持することになるので、同軸ケーブルＣが確実にチャッキングされる（図５（ｂ）参照）。
このように、同軸ケーブルＣにコネクタ１０を取り付けることにより、同軸ケーブルＣとアウタースリーブ３３と、テーパー面３６の間に大きな摩擦力が生じるので、コネクタ本体１１が同軸ケーブルＣに確実に取り付けられ、長期間の使用によっても外れることがないという点において、実施例１と同様の作用効果が得られる。
【００３０】
次いで、締付ナット１３の雌ネジ１３ａをレセプタクル１２の雄ネジ１２ａに螺合させて締め付けていくと、コネクタ本体１１の先端面（インナースリーブ３３の先端面）とレセプタクル１２の先端面が当接される（図６（ａ）参照）。
このとき、インナースリーブ３３の先端側に形成された外向きフランジ３４と、締付ナット１３の後端側に形成された内向きフランジ２０は、スプリングワッシャＷにより、各フランジ３４、２０間を拡げる方向に付勢されて、所定のギャップが確保されている。
【００３１】
そして、さらに締付ナット１３を締め付けていくと、スプリングワッシャＷがフランジ３４、２０に挟まれて平らな状態になるまで変形される（図６（ｂ）参照）。
このとき、締付ナット１３に形成された雌ネジ１３ａと、レセプタクル１２に形成された雄ネジ１２ａが、ワッシャＷの弾發力により密着されるので、ネジ間にガタを生じることがなく摩擦抵抗も高くなる。
したがって、機器の振動等が作用しても締付ナット１３が緩むことなく、同軸ケーブル用コネクタ３０がレセプタクル１２にしっかりと接続された状態に維持され、レセプタクル１２との接続性を向上させることができる。
【産業上の利用可能性】
【００３２】
本発明は、通信放送機械など各種の高周波機器に接続される同軸ケーブルの先端に取り付けて使用される同軸ケーブル用コネクタの用途に適用し得る。
【符号の説明】
【００３３】
Ｃ    同軸ケーブル
１    中心導体
２    絶縁体
３    編組線
４    シース
１０  同軸ケーブル用コネクタ
１１  コネクタ本体
１２  レセプタクル
１３  締付ナット
１４  インナースリーブ
１５  アウタースリーブ
１６  圧縮スリーブ
１７  テーパー面
１８  エクステンションパイプ
１９  外向きフランジ
２０  内向きフランジ
Ｗ    スプリングワッシャ
【図１】
0003158734.tif 000003
【図２】
0003158734.tif 000004
【図３】
0003158734.tif 000005
【図４】
0003158734.tif 000006
【図５】
0003158734.tif 000007
【図６】
0003158734.tif 000008
【図７】
0003158734.tif 000009
【図８】
0003158734.tif 000010